(57)【要約】ディスプレイ部（１００）と駆動回路部とが着脱可能に構成された情報表示装置であって、ディスプレイ部（１００）は、ディスプレイ部（１００）の表示領域に連結された複数のディスプレイ側電極部（１３０）を有し、駆動回路部は、ディスプレイ側電極部（１３０）の各々と電気的に接続される複数の駆動側電極部（２３０）と、表示領域に情報を表示させる制御信号をディスプレイ側電極部（１３０）に出力するコントローラとを有する。複数のディスプレイ側電極部（１３０）は、所定方向に沿って所定ピッチＰｄｐで周期的に配置される。複数の駆動側電極部（２３０）は、ｎ個のグループに分類される。複数の駆動側電極部（２３０）は、所定方向に沿って所定ピッチＰｄｐの略１／ｎのピッチＰｐで周期的に配置される。一のグループに属する駆動側電極部（２３０）は、他のグループに属する駆動側電極部（２３０）と隣接するように周期的に配置される。
2011129400.tif 000002
【特許請求の範囲】
【請求項１】
情報を表示するディスプレイ部と、前記ディスプレイ部を駆動する駆動回路部とを備え、前記ディスプレイ部と前記駆動回路部とが着脱可能に構成された情報表示装置であって、
前記ディスプレイ部は、
前記ディスプレイ部の表示領域に配置された画素電極に連結された複数のディスプレイ側電極部を有し、
前記駆動回路部は、
複数の前記ディスプレイ側電極部の各々と電気的に接続される複数の駆動側電極部と、
前記ディスプレイ部の前記表示領域に所定の情報を表示させる制御信号を前記ディスプレイ側電極部に出力するコントローラとを有し、
前記複数のディスプレイ側電極部は、所定方向に沿って所定ピッチで周期的に配置されており、
前記複数の駆動側電極部は、ｎ個のグループに分類されており、
前記複数の駆動側電極部は、所定方向に沿って前記所定ピッチの略１／ｎのピッチで周期的に配置されており、
一のグループに属する駆動側電極部は、他のグループに属する駆動側電極部と隣接するように周期的に配置される情報表示装置。
【請求項２】
前記駆動側電極部は、前記コントローラに連結される配線の端部に取り付けられる駆動側電極パッドを有しており、
前記駆動側電極パッドの幅Ｗｐ及び互いに隣接する駆動側電極パッド間のギャップＷｇは、Ｗｐ＞Ｗｇの関係を満たす請求項１に記載の情報表示装置。
【請求項３】
前記ディスプレイ側電極部は、前記画素電極に連結される配線の端部に取り付けられるディスプレイ側電極パッドを有しており、
前記ディスプレイ側電極パッドの幅Ｗｄｐ及び互いに隣接する駆動側電極パッド間のギャップＷｇは、Ｗｄｐ＞Ｗｇの関係を満たす請求項１に記載の情報表示装置。
【請求項４】
前記ディスプレイ側電極部は、前記画素電極に連結される配線の端部に取り付けられるディスプレイ側電極パッドを有しており、
同一グループに属する駆動側電極パッドのうち、互いに隣接する駆動側電極パッド間のギャップＷｎｇ及び前記ディスプレイ側電極パッドの幅Ｗｄｐは、Ｗｄｐ＜Ｗｎｇの関係を満たす請求項１に記載の情報表示装置。
【請求項５】
前記コントローラは、前記ディスプレイ側電極部と前記駆動側電極部とが接続された状態で、前記ｎ個のグループのそれぞれに対応する制御信号を順に出力する請求項１に記載の情報表示装置。
【請求項６】
前記駆動回路部は、前記ディスプレイ側電極部に接続された前記駆動側電極部が属するグループを検出する検出部を有し、
前記コントローラは、前記検出部によって検出されたグループに対応する制御信号を出力する請求項１に記載の情報表示装置。
【請求項７】
請求項１に記載の情報表示装置の制御方法であって、
前記ｎ個のグループの中から、制御対象グループを選択する工程Ａと、
制御対象グループ以外のグループに属する駆動側電極部にハイインピーダンスを設定し、前記制御対象グループに属する駆動側電極部に、前記制御対象グループに対応する制御信号を出力する工程Ｂとを有しており、
前記工程Ｂは、前記工程Ａにおいて前記ｎ個のグループの全てが前記制御対象グループとして選択されるまで繰り返される情報表示装置の制御方法。
【請求項８】
請求項１に記載の情報表示装置の制御方法であって、
前記ディスプレイ側電極部に接続された前記駆動側電極部が属するグループを検出する工程Ａと、
前記工程Ａで検出されたグループ以外のグループに属する駆動側電極部にハイインピーダンスを設定し、前記工程Ａで検出されたグループに属する駆動側電極部に、前記工程Ａで検出されたグループに対応する制御信号を出力する工程Ｂとを有する情報表示装置の制御方法。
【発明の詳細な説明】
【技術分野】
【０００１】
本発明は、情報を表示するディスプレイ部と、ディスプレイ部を駆動する駆動回路部とが着脱可能に構成された情報表示装置、及びこの情報表示装置の制御方法に関する。
【背景技術】
【０００２】
従来、液晶表示装置（ＬＣＤ）に変わる情報表示装置として、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示装置が提案されている。これらの情報表示装置のなかでも帯電粒子気体中移動方式を用いた情報表示装置では、電源をオフにしてもディスプレイ部の表示領域に表示させた情報が保持される表示メモリー性に優れているため、ディスプレイ部に情報を一旦表示させた後、ディスプレイ部のみを電源などの周辺構造から切り離して単独で取り扱うことができる。【０００３】
特許文献１には、ディスプレイ部と駆動回路部とを着脱可能にし、ディスプレイ部を駆動するための半導体部品であるドライバＩＣをディスプレイ部ではなく、駆動回路部に設けた情報表示装置が開示されている。特許文献１に記載された情報表示装置では、ドライバＩＣを駆動回路部に設けているため、ディスプレイ部に劣化、不良などの不具合が起きても、ディスプレイ部とともに高価なドライバＩＣを交換する必要がなく、低コスト化が実現できる。【０００４】
ところが、上述した情報表示装置では、次のような問題点がある。すなわち、ディスプレイ部の表示領域を構成する画素電極から引き出された引き出し電極をそれぞれ駆動回路部に接続するため、ディスプレイ部と駆動回路部との接続箇所が増大する。これらの接続箇所の全てにおいて、電気的に確実に接続することが求められる。例えば、Ａ４サイズ（２１０ｍｍ×２９７ｍｍ）の表示領域にＸＧＡモノクロ規格の解像度（１０２４×７６８ピクセル）で表示できる情報表示装置では、引き出し電極を短辺側に纏めて配置する場合、電極中心の間隔は、２１０ｍｍ／（１０２４＋７６８）本＝１１７μｍになる。【０００５】
従来の情報表示装置において、基板に配置された電極中心の間隔は、上述のように微細である上に、接続するピンの数が多くなり、電極同士の位置合わせが極めて困難になり、接続不良や短絡などの接続不具合を回避する施策が必要になる。
【先行技術文献】
【特許文献】
【０００６】
【特許文献１】国際公開番号ＷＯ／２００８／１５６１７５  図１２など
【発明の概要】
【０００７】
第１の特徴に係る情報表示装置（情報表示装置１）は、情報を表示するディスプレイ部（ディスプレイ部１００）と、前記ディスプレイ部を駆動する駆動回路部（駆動回路部２００）とを備える。前記ディスプレイ部と前記駆動回路部とが着脱可能に構成される。前記ディスプレイ部は、少なくとも一部が前記ディスプレイ部の表示領域（表示領域１１０）に配置された画素電極に連結された複数のディスプレイ側電極部（ディスプレイ側電極部１３０）を有する。前記駆動回路部は、複数の前記ディスプレイ側電極部の各々と電気的に接続される複数の駆動側電極部（駆動側電極部２３０）と、前記ディスプレイ部の前記表示領域に所定の情報を表示させる制御信号を前記ディスプレイ側電極部に出力するコントローラ（コントローラ２４０）とを有する。前記複数のディスプレイ側電極部は、所定方向に沿って所定ピッチで周期的に配置される。前記複数の駆動側電極部は、ｎ個のグループに分類される。前記複数の駆動側電極部は、所定方向に沿って前記ディスプレイ側電極部における所定ピッチの略１／ｎのピッチで周期的に配置される。一のグループに属する駆動側電極部は、他のグループに属する駆動側電極部と隣接するように周期的に配置される。
【０００８】
第１の特徴において、前記駆動側電極部は、前記コントローラに連結される配線の端部に取り付けられる駆動側電極パッドを有する。前記駆動側電極パッドの幅Ｗｐ及び互いに隣接する駆動側電極パッド間のギャップＷｇは、Ｗｐ＞Ｗｇの関係を満たす。
【０００９】
第１の特徴において、前記ディスプレイ側電極部は、前記画素電極に連結される配線の端部に取り付けられるディスプレイ側電極パッドを有する。前記ディスプレイ側電極パッドの幅Ｗｄｐ及び互いに隣接する駆動側電極パッド間のギャップＷｇは、Ｗｄｐ＞Ｗｇの関係を満たす。
【００１０】
第１の特徴において、前記ディスプレイ側電極部は、前記画素電極に連結される配線の端部に取り付けられるディスプレイ側電極パッドを有する。同一グループに属する駆動側電極パッドのうち、互いに隣接する駆動側電極パッド間のギャップＷｎｇ及び前記ディスプレイ側電極パッドの幅Ｗｄｐは、Ｗｄｐ＜Ｗｎｇの関係を満たす。
【００１１】
第１の特徴において、前記コントローラは、前記ディスプレイ側電極部と前記駆動側電極部とが接続された状態で、前記ｎ個のグループのそれぞれに対応する制御信号を順に出力する。
【００１２】
第１の特徴において、前記駆動回路部は、前記ディスプレイ側電極部に接続された前記駆動側電極部が属するグループを検出する検出部を有する。前記コントローラは、前記検出部によって検出されたグループに対応する制御信号を出力する。
【００１３】
第１の特徴に係る情報表示装置の制御方法は、前記ｎ個のグループの中から、制御対象グループを選択する工程Ａと、制御対象グループ以外のグループに属する駆動側電極部にハイインピーダンスを設定し、前記制御対象グループに属する駆動側電極部に、前記制御対象グループに対応する制御信号を出力する工程Ｂとを有する。前記工程Ｂは、前記工程Ａにおいて前記ｎ個のグループの全てが前記制御対象グループとして選択されるまで繰り返される。
【００１４】
第１の特徴に係る情報表示装置の制御方法は、前記ディスプレイ側電極部に接続された前記駆動側電極部が属するグループを検出する工程Ａと、前記工程Ａで検出されたグループ以外のグループに属する駆動側電極部にハイインピーダンスを設定し、前記工程Ａで検出されたグループに属する駆動側電極部に、前記工程Ａで検出されたグループに対応する制御信号を出力する工程Ｂとを有する。
【図面の簡単な説明】
【００１５】
【図１】図１は、本発明の第１実施形態に係る情報表示装置の構成を説明する構成図である。
【図２】図２は、本発明の第１実施形態に係る情報表示装置の駆動回路部の駆動側電極部を拡大した拡大図である。
【図３】図３（ａ）〜（ｃ）は、本発明の第１実施形態に係る情報表示装置のディスプレイ部と駆動回路部との接続態様を説明する模式図である。
【図４】図４は、本発明の第１実施形態に係る情報表示装置を制御する情報表示装置の制御方法を説明する図である。
【図５】図５は、本発明の第２実施形態に係る情報表示装置の駆動回路部の駆動側電極部を拡大した拡大図である。
【図６】図６は、本発明の第２実施形態に係る情報表示装置を制御する情報表示装置の制御方法を説明するフローチャートである。
【図７】図７は、本発明の実施形態の変形例に係る情報表示装置の駆動回路部の駆動側電極部を拡大した拡大図である。
【発明を実施するための形態】
【００１６】
本発明に係る情報表示装置の実施形態について、図面を参照しながら説明する。具体的には、（１）第１実施形態、（２）第２実施形態、（３）変形例、（４）その他の実施形態について説明する。
【００１７】
なお、以下の図面の記載において、同一部分には、同一の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれる。
【００１８】
（１）第１実施形態
ここでは、（１−１）情報表示装置の構成、（１−２）駆動側電極部の構成、（１−３）ディスプレイ側電極部と駆動側電極部との接続態様の説明、（１−４）情報表示装置の制御方法、（１−５）作用・効果について説明する。
【００１９】
（１−１）情報表示装置の構成
図１は、本発明の第１実施形態に係る情報表示装置１の構成を説明する構成図である。図１に示すように情報表示装置１は、所定の情報を表示するディスプレイ部１００と、ディスプレイ部１００を駆動する駆動回路部２００とを備え、ディスプレイ部１００と駆動回路部２００とが着脱可能に構成される。
【００２０】
ディスプレイ部１００は、所定の情報が表示される表示領域１１０と、表示領域１１０に配置された]画素電極（不図示）から引き出された配線１２０と、配線の端部に連結されたディスプレイ側電極部１３０とを有する。
【００２１】
図１に示す情報表示装置１では、ディスプレイ部１００は、少なくとも一方が透明な２枚の電極付き基板間の気体中空間（真空中を含む）に、光学的反射率を有する帯電性粒子を含む粒子群として構成した表示媒体を少なくとも１種類以上封入し、表示媒体に電界を付与することによって、表示媒体を移動させて画像などの情報を表示する気体中粒子移動方式ディスプレイパネルである。
【００２２】
ディスプレイ部１００の表示領域１１０には、画素電極を形成する互いに直交する行方向のライン電極（不図示）と、列方向のライン電極（不図示）とが設けられており、表示領域１１０の端部まで引き出されて配線１２０に接続されている。
【００２３】
配線１２０は、表示領域１１０に配置された画素電極（不図示）に連結されており、ディスプレイ側電極部１３０は、配線１２０の端部に連結されている。すなわち、ディスプレイ側電極部１３０は、表示領域１１０に配置された画素電極（不図示）に連結されている。ディスプレイ側電極部１３０は、所定の領域に集められて配置されている。
【００２４】
駆動回路部２００は、ディスプレイ側電極部１３０の各々と電気的に接続される複数の駆動側電極部２３０と、ディスプレイ部１００の表示領域１１０に所定の情報を表示させる制御信号をディスプレイ側電極部１３０に出力するコントローラ２４０とを備える。コントローラ２４０は、ＣＰＵ、ＲＯＭ、ＲＡＭ、タイミング信号発生回路などを備える。ＣＰＵは、ＲＯＭに格納された制御プログラムに従って、後述するドライバＩＣ２１０Ａ，２１０Ｂなどを制御する。
【００２５】
図１に示す駆動回路部２００は、ディスプレイ側電極部１３０を駆動する制御信号を出力するドライバＩＣ２１０Ａ，２１０Ｂを有する。ドライバＩＣ２１０Ａ，２１０Ｂは、記憶部２５０から読み出したデータに基づいて、ディスプレイ側電極部１３０に所定の電圧を印加するか、または、ハイインピーダンスの状態にする。図１に示す駆動回路部２００では、ディスプレイ側電極部１３０を制御する制御信号は、コントローラ２４０から直接送信されず、ドライバＩＣ２１０Ａ，２１０Ｂから送信される。
【００２６】
また、駆動回路部２００は、ディスプレイ部１００に表示する所定の情報などのデータが格納された記憶部２５０と、コントローラ２４０の電源回路２６０とを有する。記憶部２５０は、半導体メモリー、ハードディスク等により構成されている。記憶部２５０は、書き換え可能なＵＳＢメモリー等の記録媒体であってもよい。電源回路２６０は、情報の表示或いは消去に応じた所定の電圧を発生させる。
【００２７】
図１に示す情報表示装置１において、ディスプレイ側電極部１３０と駆動側電極部２３０とは、着脱可能に構成されたディスプレイ部１００と駆動回路部２００とを電気的及び機械的に接続する接続部ＣＮを構成する。
【００２８】
図１に示す実施形態では、駆動側電極部２３０は、複数のグループに分けられている。複数の駆動側電極部２３０には、第１グループに属する第１駆動側電極部２３１と、第２グループに属する第２駆動側電極部２３２とが含まれる。図１に示す実施形態では、異なるグループに属する駆動側電極部２３０が基板面に順に配置されている。すなわち、第１駆動側電極部２３１と第２駆動側電極部２３２とが交互に配置されている。配線２２０は、駆動側電極部２３０に含まれる。
【００２９】
接続部ＣＮを構成するディスプレイ側電極部１３０及び駆動側電極部２３０の材質としては、酸化インジウム錫（ＩＴＯ）、酸化インジウム亜鉛（ＩＺＯ）等の導電性金属酸化物を用いてもよい。或いは、ディスプレイ側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。抜き挿し方式の接続部ＣＮを構成する場合には、曲げや擦過に対する強度に優れている材料を電極部材料として用いることが好ましい。このような材料は、例えば、上述した金属、貴金属又は合金である。このうち、安価な良導電性材料である銅を好ましく用いることができる。
【００３０】
図１に示す実施形態では、第１駆動側電極部２３１は、ドライバＩＣ２１０Ａに接続される。ドライバＩＣ２１０Ａは、第１グループに属する第１駆動側電極部２３１にディスプレイ側電極部１３０を駆動する制御信号を出力する。第２駆動側電極部２３２は、ドライバＩＣ２１０Ｂに接続される。ドライバＩＣ２１０Ｂは、第２グループに属する第２駆動側電極部２３２にディスプレイ側電極部１３０を駆動する制御信号を出力する。
【００３１】
コントローラ２４０は、ディスプレイ側電極部１３０と駆動側電極部２３０とが電気的に接続された状態で、異なるグループに属する第１駆動側電極部２３１と第２駆動側電極部２３２に対して、異なるタイミングで制御信号を出力する。
【００３２】
なお、第１実施形態では、複数の駆動側電極部２３０が２つのグループに分類されるケースについて例示しているに過ぎない。複数の駆動側電極部２３０は、ｎ個のグループに分類されてもよい（但し、ｎは整数）。
【００３３】
（１−２）駆動側電極部の構成
図２は、情報表示装置１の駆動回路部２００における駆動側電極部２３０を拡大した拡大図である。第１駆動側電極部２３１と第２駆動側電極部２３２は、所属するグループが異なることを分かり易くするために符号により区別しているが、同じ構成を有する。ここでは、駆動側電極部２３０について説明する。
【００３４】
各駆動側電極部２３０は、ドライバＩＣ２１０Ａ，２１０Ｂに連結される配線２２０の端部に連結されており、配線２２０の端部に取り付けられた矩形状の電極パッド２３０Ａを有する。なお、ディスプレイ側電極部１３０は、配線１２０の端部に取り付けられた矩形状の電極パッド１３０Ａを有する。
【００３５】
ここで、ディスプレイ側電極部１３０（電極パッド１３０Ａ）のピッチは、“Ｐｄｐ”で表される。ピッチＰｄｐは、互いに隣接するディスプレイ側電極部１３０（電極パッド１３０Ａ）の中心の間隔である。電極パッド１３０Ａの幅は、“Ｗｄｐ”で表される。ディスプレイ側電極部１３０（電極パッド１３０Ａ）間のギャップは、“Ｗｄｇ”で表される。ギャップＷｄｇは、互いに隣接する電極パッド１３０Ａ間に設けられる間隙である。なお、“Ｐｄｐ”は、“Ｐｄｐ”＝“Ｗｄｐ”＋“Ｗｄｇ”の関係で表される。
【００３６】
また、駆動側電極部２３０（電極パッド２３０Ａ）のピッチは、“Ｐｐ”で表される。ピッチＰｐは、互いに隣接する駆動側電極部２３０（電極パッド２３０Ａ）の中心の間隔である。電極パッド２３０Ａの幅は、“Ｗｐ”で表される。駆動側電極部２３０（電極パッド２３０Ａ）間のギャップは、“Ｗｇ”で表される。ギャップＷｇは、互いに隣接する電極パッド２３０Ａ間に設けられる間隙である。なお、“Ｐｐ”は、“Ｐｐ”＝“Ｗｐ”＋“Ｗｇ”の関係で表される。
【００３７】
さらに、同一グループに属する駆動側電極部２３０（電極パッド２３０Ａ）のうち、互いに隣接する駆動側電極部２３０（電極パッド２３０Ａ）間のギャップは、“Ｗｎｇ”で表される。なお、図２に示すように、駆動側電極部２３０が２つのグループに分類される場合には、“Ｗｎｇ”は、“Ｗｐ”＋２×“Ｗｇ”で表される。
【００３８】
第１に、ピッチＰｄｐは、Ｐｐの略ｎ倍（ｎは、グループ数）である。言い換えると、Ｐｐは、ピッチＰｄｐの略１／ｎである。なお、“略”とは、ピッチ“Ｐｄｐ”及び電極パッド１３０Ａの数によって定まるずれ幅を含むことを意味する。
【００３９】
第２に、幅Ｗｐ及びギャップＷｇは、Ｗｐ＞Ｗｇの関係（以下、条件Ａ）を満たすことが好ましい。また、幅Ｗｄｐ及びギャップＷｇは、Ｗｄｐ＞Ｗｇの関係（以下、条件Ｂ）を満たすことが好ましい。これによって、ディスプレイ部１００と駆動回路部２００との位置関係がずれたとしても、ディスプレイ側電極部１３０（電極パッド１３０Ａ）は、いずれかのグループに属する駆動側電極部２３０（電極パッド２３０Ａ）に必ず接続される。
【００４０】
第３に、幅Ｗｄｐ及びギャップＷｎｇは、Ｗｄｐ＜Ｗｎｇの関係（以下、条件Ｃ）を満たすことが好ましい。これによって、ディスプレイ側電極部１３０（電極パッド１３０Ａ）は、同一グループに属する駆動側電極部２３０（電極パッド２３０Ａ）のうち、互いに隣接する駆動側電極部２３０（電極パッド２３０Ａ）に接続されることがない。
【００４１】
なお、条件Ａ〜条件Ｃが満たされなくても、ディスプレイ側電極部１３０（電極パッド１３０Ａ）がいずれかのグループに属する駆動側電極部２３０（電極パッド２３０Ａ）に接続されることもあることに留意すべきである。
【００４２】
（１−３）ディスプレイ側電極部と駆動側電極部との接続態様の説明
駆動側電極部２３０と、ディスプレイ側電極部１３０との接続状態について説明する。図３（ａ）〜（ｃ）は、情報表示装置１のディスプレイ部１００と駆動回路部２００との接続態様を説明する模式図である。
【００４３】
駆動側電極部２３０とディスプレイ側電極部１３０との接続状態は、図３（ａ）〜（ｃ）に示すケースで説明することができる。情報表示装置１では、駆動側電極部２３０とディスプレイ側電極部１３０のうち何れか一方が他方に重ね合わされて互いに接続されているが、説明のため、両者の接続状態が分かるようにディスプレイ部１００の基板を透視した状態で表している。すなわち、図３に示す状態は、紙面の垂直方向下側に駆動回路部２００が配置されており、駆動回路部２００に対して紙面の垂直方向上側にディスプレイ部１００が重ね合わされた状態である。
【００４４】
なお、図３（ａ）〜（ｃ）では、説明のため、ディスプレイ側電極部１３０及びディスプレイ側電極部１３０に連結される配線１２０を電極１，２と表し、駆動側電極部２３０の電極パッド２３０Ａと配線２２０とをグループＡに属する電極Ａ１，Ａ２と表し、グループＢに属する電極Ｂ１，Ｂ２と表す。
【００４５】
図３（ａ）は、駆動側電極部２３０とディスプレイ側電極部１３０とが正常に接続された場合を示した図である。すなわち、この場合のずれｄ０は、０≦ｄ０＜Ｗｇであり、電極１，２と電極Ａ１，Ｂ１とが合致している。図３（ｂ）は、図３に示すＤ方向にディスプレイ部１００と駆動回路部２００とが距離ｄ１（Ｗｇ≦ｄ１＜Ｗｐ）ずれた状態で接続されたケースを表す。この場合、電極１は、電極Ａ１と電極Ｂ１に接続される。同様に、電極２は、電極Ａ２と電極Ｂ２に接続される。図３（ｃ）は、図３に示すＤ方向にディスプレイ部１００と駆動回路部２００とが距離ｄ２（Ｗｐ≦ｄ２＜（Ｐｐ＋Ｗｇ））ずれた状態で接続されたケースを表す。この場合、電極１は、電極Ｂ１に接続される。同様に、電極２は、電極Ｂ２に接続される。
【００４６】
駆動側電極部２３０は、上述の構成を備えるため、駆動回路部２００とディスプレイ部１００とを接続する際に、ディスプレイ側電極部１３０と駆動側電極部２３０とが厳密に重なって正常に接続されなくても、駆動側電極部２３０とディスプレイ側電極部１３０とが接続されて電気的に導通する。
【００４７】
（１−４）情報表示装置の制御方法
図４は、情報表示装置１のディスプレイ部１００に所定の情報を表示するときの制御方法を説明する図である。図４には、制御方法を説明するフローチャートの各ステップと、表示領域１１０に表示されている情報とが紐付けて表されている。
【００４８】
駆動回路部２００のコントローラ２４０は、以下の手順に基づいて、所定の情報を表示領域１１０に表示するようにドライバＩＣ２１０Ａ，２１０Ｂを制御する。
【００４９】
ステップＳ１において、コントローラ２４０は、何れかのグループを選択し、選択されたグループ以外のグループに属する複数の駆動側電極部２３０をハイインピーダンスに設定する。ステップＳ２において、コントローラ２４０は、選択されたグループの駆動側電極部２３０に情報を表示するための制御信号を出力する。
【００５０】
すなわち、実施形態の情報表示装置１では、コントローラ２４０は、グループＡを選択し、グループＢに属する複数の駆動側電極部２３０（この場合、第２駆動側電極部２３２）をハイインピーダンスに設定する。続いて、情報表示装置１は、選択されたグループの駆動側電極部２３０（この場合、第１駆動側電極部２３１）に情報を表示するための制御信号を出力する。なお、書き換え処理に先立ってリセット処理（消去処理）が行われる。
【００５１】
ディスプレイ側電極部１３０と駆動側電極部２３０との接続状態が、例えば、図３（ａ）または図３（ｂ）のケースであれば、ステップＳ２を終えたとき、表示領域１１０に新たな情報が表示される。
【００５２】
ステップＳ３において、コントローラ２４０は、ステップＳ１で選択されたグループ以外のグループから何れかのグループを選択し、選択されたグループ以外のグループに属する複数の駆動側電極部２３０をハイインピーダンスに設定する。ステップＳ４において、コントローラ２４０は、選択されたグループの駆動側電極部２３０に情報を表示するための制御信号を出力する。
【００５３】
すなわち、実施形態の情報表示装置１では、コントローラ２４０は、グループＢを選択し、グループＡに属する複数の駆動側電極部２３０（この場合、第１駆動側電極部２３１）をハイインピーダンスに設定する。続いて、情報表示装置１は、選択されたグループの駆動側電極部２３０（この場合、第２駆動側電極部２３２）に情報を表示するための制御信号を出力する。
【００５４】
ディスプレイ側電極部１３０と駆動側電極部２３０との接続状態が、例えば、図３（ｃ）のケースであれば、ステップＳ４を終えたとき、表示領域１１０に新たな情報が表示される。図３（ｂ）のケースでは、グループＡの駆動側電極部２３０とグループＢの駆動側電極部２３０の両方に接続されているため、ステップＳ４を終えると、ステップＳ３で選択されたグループの駆動側電極部２３０からの制御信号によって表示領域１１０に情報が再び表示される。
【００５５】
図４に示したフローチャートに従って、コントローラ２４０に制御されることにより、図３（ａ）〜図３（ｂ）のいずれの接続状態になっていても、ディスプレイ部１００には所定の情報が表示される。
【００５６】
（１−５）作用・効果
以上説明したように、情報表示装置１は、情報を表示するディスプレイ部１００と、ディスプレイ部１００を駆動する駆動回路部２００とが着脱可能に構成されており、ディスプレイ部１００は、表示領域１１０に配置された画素電極に連結された複数のディスプレイ側電極部１３０を有し、駆動回路部２００は、ディスプレイ側電極部１３０の各々と電気的に接続される複数の駆動側電極部２３０と、表示領域１１０に情報を表示させる制御信号をディスプレイ側電極部１３０に出力するコントローラ２４０とを有する。駆動側電極部２３０は、複数にグループ分けされ、異なるグループに属する駆動側電極部２３０が基板面に順に配置されている。コントローラ２４０は、ディスプレイ側電極部１３０と駆動側電極部２３０とが接続された状態で、異なるグループに属する駆動側電極部２３０に対して、異なるタイミングで制御信号を出力する。
【００５７】
このため、ディスプレイ側電極部１３０に、少なくとも何れかのグループの駆動側電極部２３０が接続されていれば、コントローラ２４０から各グループの駆動側電極部２３０に対して異なるタイミングで送られる制御信号に基づいて、表示領域１１０の情報を書き換えることができる。
【００５８】
図１に示す実施形態では、第１グループに属する第１駆動側電極部２３１と、第２グループに属する第２駆動側電極部２３２とが基板面に交互に配置されている。また、各駆動側電極部２３０（第１駆動側電極部２３１及び第２駆動側電極部２３２）は、電極パッド２３０Ａの幅Ｗｐと、隣接する電極パッド２３０Ａ間のギャップＷｇは、Ｗｐ＞Ｗｇを満たす。図１に示す構成では、ディスプレイ側電極部１３０の間隔Ｐｄｐは、Ｐｄｐ＝２Ｐｐである。
【００５９】
例えば、Ａ４サイズ（２１０×２９７ｍｍ）の表示領域にＸＧＡモノクロ規格の解像度（１０２４×７６８ピクセル）で表示できるように構成し、Ａ４サイズの短辺部分に縦横ライン電極から引き出されたディスプレイ側電極部１３０を配置する場合、２１０ｍｍの範囲に、（１０２４＋７６８）本のディスプレイ側電極部１３０が配置される。従って、配線２２０の間隔Ｐｐは、数百μｍ〜百数十μｍになる。
【００６０】
情報表示装置１では、接続部ＣＮにおける駆動回路部２００側の電極を少なくとも２つのグループに分け、上記関係を満たすように構成することにより、例えば、駆動側電極部２３０とディスプレイ側電極部１３０との接続状態が図３（ａ）〜（ｃ）に示す何れかのケースになり、ディスプレイ側電極部１３０と駆動側電極部２３０とが厳密に重なって正常に接続されなくても、駆動側電極部２３０とディスプレイ側電極部１３０とが接続されて電気的に導通し得る。すなわち、駆動側電極部２３０とディスプレイ側電極部１３０とが正常に接続しない場合が無くなる。従って、ディスプレイ部１００と駆動回路部２００とを表示の不具合がおこらないように確実に接続することができる。
【００６１】
実施形態では、図３に示したように、位置ずれがｄ０，ｄ１，ｄ２の範囲であれば、ディスプレイ部１００に正しく表示される。また、電極１が電極Ａ２，Ｂ２に接触するような位置ずれが起きた場合には、電極１から順に配列される電極のうち最後の電極Ｎに通電されないことになるが、表示領域１１０の全域に表示の不具合が発生することはない。
【００６２】
ディスプレイ側電極部を余分に形成する（例えば、１ライン分多く形成する）ことにより、電極１が電極Ａ２，Ｂ２に接触するような位置ずれが起きたとしても、最後の電極にも通電されるため、表示領域１１０に正しく表示させることができる。
【００６３】
また、ディスプレイ側電極部１３０及び駆動側電極部２３０の材質としては、上述したように、酸化インジウム錫（ＩＴＯ）、酸化インジウム亜鉛（ＩＺＯ）等の導電性金属酸化物を用いてもよい。或いは、ディスプレイ側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。抜き挿し方式の接続部ＣＮを構成する場合には、曲げや擦過に対する強度に優れている材料を電極部材料として用いることが好ましい。このような材料は、例えば、上述した金属、貴金属又は合金である。
【００６４】
導電性材料から電極パットとしての導電膜を形成する方法としては、次の方法が挙げられる。例えば、上述した導電性材料を基板面にスパッタリング法、真空蒸着法、ＣＶＤ法、塗布法などにより薄膜状に形成することができる。また、金属材料については、金属箔（例えば、圧延銅箔）を形成し、基板面にラミネートする方法を用いてもよい。更に、導電性材料を含む導電剤を溶媒や合成樹脂バインダーに混合し、基板面に塗布する方法などを用いることができる。導電性材料は、パターン形成が可能であるため、成形性もよく、好適に使用できる。
【００６５】
導電膜を金属材料で形成する場合には、上述した形成方法のなかでも、金属材料を圧延した薄膜が好ましい。圧延した薄膜は、蒸着により形成された薄膜やスパッタリングにより形成された薄膜に比べて、曲げや擦過に対する強度を高めることができる。導電膜を配置する基板と、導電膜との密着性を高めるために、アンカー材を設けてもよい。
【００６６】
電極パッドとしての導電膜の厚さは、導電性が確保できればよく、一例として、０．０１μｍ〜１０μｍが好ましく、０．０５μｍ〜５μｍがより好ましい。
【００６７】
実施形態において、「着脱可能」を実現するための構成としては、例えば、ディスプレイ側電極部１３０と駆動側電極部２３０とを上下に重ねて接続する方式が挙げられる。また、ディスプレイ側電極部１３０と駆動側電極部２３０とを基板面に水平な所定の挿抜方向に沿って抜き差しする方式が挙げられる。
【００６８】
前者方式では、ディスプレイ側電極部１３０と駆動側電極部２３０とを上下に重ねた後に、電極部同士を押さえ付けることのできるスプリング式固定具を設けると確実に接続させることができる。後者方式では、ディスプレイ側電極部１３０と駆動側電極部２３０とを水平方向に差し込んだ後、電極部同士を押さえ付けるスプリング式固定具を設けると確実に接続させることができる。
【００６９】
第１実施形態に示す情報表示装置１では、駆動側電極部２３０の電極パッド２３０Ａの幅Ｗｐと、隣接する電極パッド２３０Ａ間のギャップＷｇがＷｐ＞Ｗｇを満たし、ディスプレイ側電極部１３０のピッチ（間隔）ＰｄｐがＰｄｐ＝２Ｐｐを満たす構成と合わせて、コントローラ２４０は、図４に示したフローチャートに従う処理を実行する。
【００７０】
すなわち、コントローラ２４０は、選択したグループ以外のグループに属する駆動側電極部２３０をハイインピーダンスに設定し、選択されたグループの駆動側電極部２３０にのみ制御信号を出力する処理を、全グループに行うため、ディスプレイ側電極部１３０は、必ず何れかのグループに属する駆動側電極部２３０と接続されて制御信号を受け取ることができる。従って、一連の処理が終了したときには、図３（ａ）〜図３（ｂ）のいずれの接続状態になっていても、ショートなどの不良を引き起こすことなく、ディスプレイ部１００の表示領域１１０に新たな情報を必ず表示することができる。
【００７１】
（２）第２実施形態
次に、第２実施形態について説明する。ここでは、（２−１）駆動回路部の駆動側電極部、（２−２）情報表示装置の制御方法、（２−３）作用・効果について説明する。
【００７２】
（２−１）駆動回路部の駆動側電極部
図５は、駆動回路部４００における駆動側電極部４３０（電極パッド４３０Ａ）を拡大した拡大図である。第２実施形態として示す情報表示装置２は、ディスプレイ部３００と、駆動回路部４００とを備え、ディスプレイ部３００と駆動回路部４００とは着脱可能に構成されている。
【００７３】
情報表示装置２のディスプレイ部３００及び駆動回路部４００には、第１実施形態のディスプレイ側電極部１３０及び駆動側電極部２３０に加えて、ディスプレイ側電極部１３０に接続された駆動側電極部２３０のグループを検出する検出部を有する。
【００７４】
情報表示装置２は、短絡されたショート配線３２１と、ショート配線３２１の端部に連結されたディスプレイ側電極部３３０とを有する。また、ディスプレイ側電極部３３０の各々と電気的に接続される複数の駆動側電極部４３０を備える。駆動側電極部４３０は、複数のグループに分けられている。複数の駆動側電極部４３０には、第１グループに属する第１駆動側電極部４３１と、第２グループに属する第２駆動側電極部４３２とが含まれる。第１駆動側電極部４３１と第２駆動側電極部４３２とは、配線４２１に連結されている。配線４２１は、グループを検出する検出回路２７０に接続されている。ディスプレイ側電極部３３０、ショート配線３２１、配線４２１、配線４２１に連結された第１駆動側電極部４３１、第２駆動側電極部４３２、及び検出回路２７０は、検出部を構成する。
【００７５】
ディスプレイ側電極部３３０のピッチ（間隔）は、ディスプレイ側電極部１３０のピッチ（間隔）と同じＰｄｐである。また、駆動側電極部４３０（第１駆動側電極部４３１、第２駆動側電極部４３２は、矩形状の電極パッド４３０Ａを有し、電極パッド４３０Ａの幅Ｗｐと、隣接する電極パッド４３０Ａ間のギャップＷｇと、配線４２０のピッチ（間隔）Ｐｐとの間には、Ｐｐ＝Ｗｐ＋ＷｇかつＷｐ＞Ｗｇの関係が成り立つ。駆動側電極部４３０が図５に示す構成となっている場合には、駆動側電極部４３０に対応するディスプレイ側電極部３３０の間隔Ｐｄｐは、Ｐｄｐ＝２Ｐｐ（但し、Ｐｐ＝Ｗｐ＋Ｗｇ）である。
【００７６】
図５では、説明のため、ディスプレイ側電極部３３０に連結されるショート配線３２１を配線Ｓと表し、グループＡに属する第１駆動側電極部４３１を電極ＤＡ１、ＤＡ２、グループＢに属する第２駆動側電極部４３２を電極ＤＢ１，ＤＢ２と表す。検出回路２７０は、配線Ｓによりショートしている電極を検出することにより、グループＡ，Ｂどちらの駆動側電極部２３０がディスプレイ側電極部１３０に接続されているかを検出する。
【００７７】
（２−２）情報表示装置の制御方法
図６は、本発明の第２実施形態に係る情報表示装置２を制御する情報表示装置の制御方法を説明するフローチャートである。図示しないコントローラ２４０は、検出部によって接続されていることが検出されたグループ以外のグループに属する複数の駆動側電極部をハイインピーダンスに設定し、検出されたグループの駆動側電極部に制御信号を出力する。
【００７８】
すなわち、ステップＳ１０において、コントローラ２４０は、検出部により、電極ＤＡ１，ＤＡ２に導通しているか検出する。導通している場合には、ステップＳ１１において、グループＢに属する複数の駆動側電極部２３０（この場合、第２駆動側電極部２３２）をハイインピーダンスに設定する。
【００７９】
続いて、ステップＳ１２において、コントローラ２４０は、グループＡの駆動側電極部２３０によって、表示領域１１０を書き換える。図６に示す処理では、コントローラ２４０は、第１駆動側電極部２３１に情報を表示するための制御信号を出力する。なお、書き換え処理に先立ってリセット処理（消去処理）が行われる。
【００８０】
一方、ステップＳ１０において、電極ＤＡ１，ＤＡ２に導通していないことが検出された場合には、ステップＳ１３において、さらに、電極ＤＢ１，ＤＢ２に導通しているか検出する。導通している場合には、ステップＳ１４において、グループＡに属する複数の駆動側電極部２３０（この場合、第１駆動側電極部２３１）をハイインピーダンスに設定する。
【００８１】
続いて、ステップＳ１５において、コントローラ２４０は、グループＢの駆動側電極部２３０によって、表示領域１１０を書き換える。
【００８２】
（２−３）作用・効果
以上説明したように、情報処理装置２は、検出部によって、ディスプレイ側電極部１３０がどのグループに属する駆動側電極部２３０（第１駆動側電極部２３１又は第２駆動側電極部２３２）に接続されているか検出することができるため、駆動回路部４００は、検出された一方の駆動側電極部２３０に対して制御信号を１回出力することで、表示領域１１０に表示される情報を確実に書き換えることができる。
【００８３】
（３）変形例
図７は、変形例に係る情報表示装置３の駆動回路部６００における駆動側電極部６３０（電極パッド６３０Ａ）を拡大した拡大図である。変形例として示す情報表示装置３では、ディスプレイ側電極部５３０（電極パッド５３０Ａ）のピッチ（間隔）Ｐｄｐの１／ｎと、駆動側電極部６３０のピッチ（間隔）Ｐｐとが異なっている。
【００８４】
すなわち、駆動側電極部６３０は、矩形状の電極パッド６３０Ａを有し、電極パッド６３０Ａの幅Ｗｐと、隣接する電極パッド６３０Ａ間のギャップＷｇとは、Ｗｐ＞Ｗｇの関係が成り立つ。更に、図７に示す構成では、ディスプレイ側電極部５３０のピッチ（間隔）Ｐｄｐは、Ｐｄｐ＜２Ｐｐである。また、ディスプレイ側電極部５３０がピッチＰｄｐでｍ本配置された幅ＷＤｐ、同じグループに属する駆動側電極部６３０がｍ本ずつ配置されたとき、同じグループに属する駆動側電極部の最も離れた位置にある駆動側電極部間の距離ＷＤｒとするとき、ＷＤｐ−ＷＤｒ＜Ｐｐ＋ｗｇである。
【００８５】
この場合、ディスプレイ側電極部５３０と駆動側電極部６３０との接続状態は、図３（ａ）〜（ｃ）の全てが繰り返し含まれるパターンになるため、ディスプレイ部１００に所定の情報を表示することができる。
【００８６】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【００８７】
実施形態では、ディスプレイ部１００（ディスプレイ部３００，５００も同様）は、気体中粒子移動方式ディスプレイパネルであると説明した。しかし、ディスプレイ部１００は、例えば、電気泳動方式（液体中粒子移動方式）ディスプレイ、コレステリック液晶方式ディスプレイパネル、エレクトロクロミック方式ディスプレイパネルとすることができる。また、表示された情報を電源オフの状態で所定期間保持できる表示メモリー性、いわゆるバイステイブル性を有するＭＥＭＳ方式ディスプレイパネル、銀の電解による析出を用いる方式のディスプレイパネル、溶解反応を利用したディスプレイパネルとすることができる。ディスプレイ部１００は、これら表示メモリー性を有するものが好ましいが、表示メモリー性の無い、従来の液晶ディスプレイ（ＬＣＤ）にも適用できる。
【００８８】
実施形態において、情報表示装置１には、ドライバＩＣ２１０Ａ，２１０Ｂが設けられていると説明した。しかし、ドライバＩＣは、必ずしも必要でない。コントローラ２４０が直接ディスプレイ部１００の制御信号を、駆動側電極部２３０を介してディスプレイ側電極部１３０に出力する構成であってもよい。ドライバＩＣ２１０Ａ，２１０Ｂを使用すると、コントローラ２４０の負荷軽減、配線２２０の本数を減らすなどの利点がある。
【００８９】
実施形態では、情報表示装置１は、記憶部２５０を備えると説明した。この他に、例えば、無線通信及び／又は有線通信を可能とする通信デバイスを備え、ディスプレイ部１００の表示領域１１０に表示する情報に関するデータを、ネットワークを介して取得することもできる。
【００９０】
実施形態では、駆動側電極部２３０には、グループＡに属する第１駆動側電極部２３１（電極Ａ１，Ａ２）と、グループＢに属する第２駆動側電極部２３２（電極Ｂ１，Ｂ２）とが含まれると説明した。しかし、２つのグループに限定されない。３つであってもよい。
【００９１】
また、実施形態では、駆動側電極部がピッチ（間隔）Ｐｐで配置されており、ディスプレイ側電極部がピッチ（間隔）Ｐｄｐで配置されており、Ｐｄｐ＝２Ｐｐである場合について説明した。しかし、ディスプレイ側電極部のピッチ（間隔）は、駆動側電極部の間隔の整数倍であればよく、２倍に限定されない。すなわち、例えば、Ｐｄｐ＝３Ｐｐ、Ｐｄｐ＝４Ｐｐという関係になるような配置になっていてもよい。
【００９２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００９３】
なお、日本国特許出願第２０１０−０９３１０５号（２０１０年４月１４日出願）の全内容が、参照により、本願明細書に組み込まれている。
【産業上の利用可能性】
【００９４】
本発明によれば、ディスプレイ部と駆動回路部とを着脱可能にし、ディスプレイ部を駆動するドライバＩＣを駆動回路部に設けた情報表示装置において、ディスプレイ部と駆動回路部とを確実に接続する情報表示装置を提供できる。また、上記構成の情報表示装置において、表示の不具合が起こらないように情報表示装置を制御する情報表示装置の制御方法を提供することができる。
【図１】
2011129400.tif 000003
【図２】
2011129400.tif 000004
【図３】
2011129400.tif 000005
【図４】
2011129400.tif 000006
【図５】
2011129400.tif 000007
【図６】
2011129400.tif 000008
【図７】
2011129400.tif 000009
【国際調査報告】
2011129400.tif 000010
2011129400.tif 000011
2011129400.tif 000012
2011129400.tif 000013